(57)【要約】【課題】障子を簡易な構造にでき、障子の組立が容易となり、建具の施工性を向上させることができる建具のロック解除装置を提供する。【解決手段】  ロック解除装置は、枠体７の外部側に設けられた外部ハンドル２と、前記枠体内に開閉可能に収められた障子９と前記枠体とを係合するロック機構と、前記枠体に設けられ、前記外部ハンドルの操作により移動可能に構成され、前記ロック機構による前記障子と前記枠体との係合を解除するロック解除機構と、を備える。【選択図】図４
2017180044.tif 000002
【特許請求の範囲】
【請求項１】
枠体の外部側に設けられた外部ハンドルと、
前記枠体内に開閉可能に収められた障子と前記枠体とを係合するロック機構と、
前記枠体に設けられ、前記外部ハンドルの操作により移動可能に構成され、前記ロック機構による前記障子と前記枠体との係合を解除するロック解除機構と、を備えることを特徴とするロック解除装置。
【請求項２】
前記ロック解除機構には、前記外部ハンドルの操作により前記枠体に沿って移動可能な連動バーを備え、
前記ロック機構は、
前記障子に設けられた障子側ロック部材と、
前記連動バーに設けられ前記障子側ロック部材と係合可能な枠側ロック部材と、を備え、
前記ロック機構による前記障子側ロック部材と前記枠側ロック部材との係合状態が、前記連動バーの前記枠体に沿った移動により解除されるように構成されている
請求項１に記載のロック解除装置。
【請求項３】
前記障子と前記枠体とに連結されるとともに、前記障子の前記枠体に対する開口長を規制する開口規制アームを備え、
前記ロック機構は、前記開口規制アームを介して前記障子側ロック部材と前記枠側ロック部材とが係合されて前記枠体と前記障子とを係合し、
前記ロック解除機構は、前記外部ハンドルの操作による前記連動バーの動作に伴って、前記開口規制アームと前記障子側ロック部材または前記枠側ロック部材との係合が解除可能に構成されている
請求項２に記載のロック解除装置。
【請求項４】
前記障子が閉じられて前記ロック機構により前記枠体と前記障子とが係合された状態で、前記外部ハンドルの操作による前記連動バーの動作に伴って、前記開口規制アームと前記障子との係合が解除される
請求項３に記載のロック解除装置。
【請求項５】
前記開口規制アームには、前記障子側ロック部材との係止部と、前記係止部の一部において前記連動バーの動作方向に対して傾斜する傾斜部とが設けられ、
前記外部ハンドルの操作による前記連動バーの動作に伴って前記障子側ロック部材が前記傾斜部にガイドされて、前記障子側ロック部材と前記係止部との係止が解除される請求項４に記載のロック解除装置。
【請求項６】
前記開口規制アームで前記枠体に対する前記障子の開口長が規制されて前記障子が開けられた状態で、前記外部ハンドルの操作による前記連動バーの動作に伴って、前記開口規制アームと前記枠体との係合が解除される
請求項３から請求項５のいずれか一項に記載のロック解除装置。
【請求項７】
前記開口規制アームは、
長孔が形成され前記障子に設けられた規制ピンが前記長孔内に挿入されて連結されるアーム本体と、
前記アーム本体に回動可能に連結され、前記枠体に設けられる凸部と連結される取付片とを備え、
前記障子が閉じられて前記ロック機構により前記枠体と前記障子とが係合された施錠状態では、前記外部ハンドルの操作による前記ロック解除機構の動作に伴って、前記取付片と前記凸部との係合が解除されるように構成され、
前記開口規制アームで前記枠体に対する前記障子の開口長が規制されて前記障子が開けられた小開口状態では、前記外部ハンドルの操作による前記ロック解除機構の動作に伴って、前記アーム本体と前記規制ピンとの係合が解除されるように構成されている
請求項３から請求項６のいずれか一項に記載のロック解除装置。
【請求項８】
枠体と、
前記枠体内に開閉可能に収められた障子と、
請求項１から請求項７のいずれか一項に記載のロック解除装置と、
を備えることを特徴とする建具。
【発明の詳細な説明】
【技術分野】
【０００１】
本発明は、例えば縦辷り出し窓や開き窓等の開閉作動する障子を備えた建具のロック解除装置及び建具に関する。
【背景技術】
【０００２】
従来、障子が換気や排煙等のために所定角度だけ開くようにした開口部装置が知られている。ビル等の高層階で障子が開きすぎると危険であるため所定角度だけ開くように規制している。ところで、高層ビル等においては、火災時に消防隊が消火活動や救出活動を行うために、外部から建物内に進入するための非常用進入口が設けられている。上述した開口部装置が設けられた建具を非常用進入口とする場合、外部から障子を全開できるように屋外ハンドルが設けられている。
例えば特許文献１に記載された建具では、通常時は障子の開放角度が規制され、非常時には、外部開放装置の屋外ハンドルの操作に連動する連動部により屋外から鍵装置が解錠される構成を備えている。
【先行技術文献】
【特許文献】
【０００３】
【特許文献１】特開２０１０−７１０４３号公報
【発明の概要】
【発明が解決しようとする課題】
【０００４】
しかし、上記従来の建具では、錠装置、内部ハンドル、外部開放装置が障子に設けられているため、障子の構成が複雑となり、障子の施工が煩雑であった。
また、外部ハンドルの操作時に、障子の解錠操作と、開放角度規制装置の解除操作とを行う必要があり、非常時の操作が煩雑であった。
【０００５】
本発明は、このような課題に鑑みてなされたものであって、障子を簡易な構造にして建具の施工性を向上させることができ、且つロック解除時の操作性に優れるロック解除装置及び建具を提供することを目的とする。
【課題を解決するための手段】
【０００６】
本発明に係るロック解除装置は、枠体の外部側に設けられた外部ハンドルと、前記枠体内に開閉可能に収められた障子と前記枠体とを係合するロック機構と、前記枠体に設けられ、前記外部ハンドルの操作により移動可能に構成され、前記ロック機構による前記障子と前記枠体との係合を解除するロック解除機構と、を備えることを特徴とする。
【０００７】
本発明によれば、障子と枠体との係合を解除するロック解除機構及びその操作部である外部ハンドルが枠体に設けられているため、ロック解除装置の機構を全て障子に設ける従来の建具に比べて、障子を簡易な構造にすることができる。その結果、障子の組立が容易となり、建具の施工性を向上させることができる。
【０００８】
本発明に係るロック解除装置は、前記ロック解除機構には、前記外部ハンドルの操作により前記枠体に沿って移動可能な連動バーを備え、前記ロック機構は、前記障子に設けられた障子側ロック部材と、前記連動バーに設けられ前記障子側ロック部材と係合可能な枠側ロック部材と、を備え、前記ロック機構による前記障子側ロック部材と前記枠側ロック部材との係合状態が、前記連動バーの前記枠体に沿った移動により解除されるように構成されていてもよい。
【０００９】
本発明によれば、ロック解除機構の作動部として連動バー及び外部ハンドルを枠体側に設けているため障子を簡易な構造にすることができる。また、外部ハンドルの操作に連動して枠体に対して移動する連動バーを備え、ロック機構による障子側ロック部材と枠側ロック部材との係合状態が、連動バーの枠体に沿った移動により解除可能であり、外部ハンドルの操作により連動バーを動かす簡易な操作によりロック解除機構を構成できる。
【００１０】
本発明に係るロック解除装置において、前記障子と前記枠体とに連結されるとともに、前記障子の前記枠体に対する開口長を規制する開口規制アームを備え、前記ロック機構は、前記開口規制アームを介して前記障子側ロック部材と前記枠側ロック部材とが係合されて前記枠体と前記障子とを係合し、前記ロック解除機構は、前記外部ハンドルの操作による前記連動バーの動作に伴って、前記開口規制アームと前記障子側ロック部材または前記枠側ロック部材との係合が解除可能に構成されていてもよい。
【００１１】
本発明によれば、障子の開口長を規制する開口規制アームを介して障子と枠体とが連結され、外部ハンドルの操作によって開口規制アームと障子側ロック部材または枠側ロック部材との係合が解除可能に構成されている。また、連動バーの操作により開口規制アームと障子側ロック部材と枠側ロック部材との係合が解除できる。この結果、障子が閉じた状態で施錠されていても、外部ハンドルの操作により開錠可能である。また、開口規制アームを手動で外す必要が無いので、障子が閉じた状態から、開口規制アームとの係合が解除されて開口長の規制を解除する操作までを外部ハンドルの操作のみで行うことができる。
【００１２】
本発明に係るロック解除装置は、前記障子が閉じられて前記ロック機構により前記枠体と前記障子とが係合された状態で、前記外部ハンドルの操作による前記連動バーの動作に伴って、前記開口規制アームと前記障子との係合が解除されてもよい。
【００１３】
本発明によれば、障子の開口長を規制する開口規制アームを備える場合に、障子が閉じられてロック機構により枠体と障子とが係合された状態で外部ハンドルを操作することによって、開口規制アームと障子との係合が解除できる。この結果、外部ハンドルで障子を開ける前に、開口規制アームと障子との係合が解除できるので、障子を開口させた後に、再度開口規制アームの係合を解除する操作が不要となり、外部ハンドルで簡易且つ円滑に障子を開口することができる。したがって、非常時に外部から障子を開口する際の操作性に優れる。
【００１４】
本発明に係るロック解除装置は、前記開口規制アームには、前記障子側ロック部材との係止部と、前記係止部の一部において前記連動バーの動作方向に対して傾斜する傾斜部とが設けられ、前記外部ハンドルの操作による前記連動バーの動作に伴って前記障子側ロック部材が前記傾斜部にガイドされて、前記障子側ロック部材と前記係止部との係止が解除されてもよい。
【００１５】
本発明によれば、連動バーの移動に伴って、障子側ロック部材が傾斜部にガイドされて障子側ロック部材と係止部との係止が解除されるので、簡単な操作で円滑に開口規制アームと障子側ロック部材とのロックが解除できる。
【００１６】
本発明に係るロック解除装置は、前記開口規制アームで前記枠体に対する前記障子の開口長が規制されて前記障子が開けられた状態で、前記外部ハンドルの操作による前記連動バーの動作に伴って、前記開口規制アームと前記枠体との係合が解除されてもよい。
【００１７】
本発明によれば、開口規制アームで枠体に対する障子の開口長が規制されて障子が開けられている場合に、外部ハンドルを操作することによって、開口規制アームと枠体との係合が解除でき、簡単な操作により障子を開口することができる。また、開口規制アームと障子との係合が簡単な操作により容易に解除できる。
【００１８】
本発明に係るロック解除装置において、前記開口規制アームは、長孔が形成され前記障子に設けられた規制ピンが前記長孔内に挿入されて連結されるアーム本体と、前記アーム本体に回動可能に連結され、前記枠体に設けられる凸部と連結される取付片とを備え、前記障子が閉じられて前記ロック機構により前記枠体と前記障子とが係合された施錠状態では、前記外部ハンドルの操作による前記ロック解除機構の動作に伴って、前記取付片と前記凸部との係合が解除されるように構成され、前記開口規制アームで前記枠体に対する前記障子の開口長が規制されて前記障子が開けられた小開口状態では、前記外部ハンドルの操作による前記ロック解除機構の動作に伴って、前記アーム本体と前記規制ピンとの係合が解除されるように構成されていてもよい。
【００１９】
本発明によれば、外部ハンドルを用いて、施錠状態の障子を開ける操作と、小開口状態の障子の規制を解除して障子を大きく開口する操作とが同様の操作により行うことができる。したがって、外部ハンドルで簡易且つ円滑に障子を開口することができ、非常時に外部から障子を開口する際の操作性に優れる。
【００２０】
本発明に係る建具は、枠体と、前記枠体内に開閉可能に収められた障子と、上記ロック解除装置と、を備えることを特徴とする。
【００２１】
本発明によれば、枠体と障子とのロック解除機構及び操作部である外部ハンドルが枠体に設けられているので、障子のロック解除装置の機構を全て障子に設ける従来の建具に比べて、障子を簡易な構造にできる。その結果、障子の組立が容易となり、建具の施工性を向上させることができる。
【発明の効果】
【００２２】
本発明に係るロック解除装置及び建具は、障子のロック解除装置の機構を全て障子に設ける従来の建具に比べて、障子を簡易な構造にできる。その結果、障子の組立が容易となり、建具の施工性を向上させることができる。
【図面の簡単な説明】
【００２３】
【図１】本発明の実施形態に係る縦辷り出し窓の要部縦断面図である。
【図２】図１に示す縦辷り出し窓の要部水平断面図である。
【図３】枠体の外部ハンドル部分の水平断面図である。
【図４】ロック機構及びロック解除機構を示す模式図であり、（ａ）は、枠体を見込み面側から見た模式図であり、（ｂ）は障子を見込み面側から見た模式図である。
【図５】閉鎖位置と開放位置における縦框と小開口規制アームとを示す模式図であり、（ａ）は、縦框を見込み面側から見た模式図であり、（ｂ）は、（ａ）の縦框と対向する面側の小開口規制アームを示す模式図である。
【図６】小開口規制アームと枠体とを示す模式図であり、（ａ）は枠体の見込方向から見た図であり、（ｂ）は枠体の見付け方向から見た図である。
【図７】ロック解除機構による解錠時の態様を示す図であり、（ａ）は施錠時の状態を示し、（ｂ）は外部ハンドル牽引段階を示し、（ｃ）は外部ハンドル引き上げ段階を示し、（ｄ）は連動バー固定段階を示す模式図である。
【図８】ロック解除機構による小開口規制アームの解除時の態様を示す図であり、（ａ）は小開口規制状態を示し、（ｂ）は外部ハンドル引き上げ段階を示し、（ｃ）は小開口規制アームの解除段階を示す模式図である。
【発明を実施するための形態】
【００２４】
以下、本発明の実施形態による建具の一例として縦辷り出し窓について添付図面により説明する。
図１に本実施形態に係る縦辷り出し窓１の縦断面図を示す。図２に縦辷り出し窓１の水平断面図を示す。図１及び図２に示す縦辷り出し窓１は、躯体の開口部に取り付けられる枠体７と、枠体７内に、開閉可能に収められた障子９とを備える。
本実施形態に係る縦辷り出し窓１は障子の開放位置を所定角度の小開口に制限する小開口制限機構、ロック機構、及びロック解除機構を備えている。この縦辷り出し窓１は、例えばアルミニウム合金等の金属部材と樹脂部材の複合建具からなっているが、金属部材製の建具や樹脂部材製の建具でもよい。
【００２５】
枠体７は、それぞれアルミニウム合金及び合成樹脂からなる上枠３及び下枠４と左右の縦枠５、６とが四角形枠状に形成されている。
枠体７の上枠３は屋外側（図１における左側）に設けた金属上枠３ａと屋内側（図１における右側）に設けた樹脂上枠３ｂとが互いに係合されている。下枠４は屋外側に設けた金属下枠４ａと屋内側に設けた樹脂下枠４ｂとが互いに係合されている。金属上枠３ａ及び金属下枠４ａはアルミニウム合金からなる。
【００２６】
戸先側（図２において左側）に設けた縦枠５は屋外側（図２において上側）に設けた金属縦枠５ａと屋内側（図２において下側）に設けた樹脂縦枠５ｂとが互いに係合されている。吊元側（図２において右側）に設けた縦枠６は屋外側に設けた金属縦枠６ａと屋内側に設けた樹脂縦枠６ｂとが互いに係合されている。金属縦枠５ａ、６ａはアルミニウム合金からなる。
【００２７】
戸先側の縦枠５の見込方向の略中央部には、断面略Ｕ字形状の縦溝５ｃが上下方向に延びて形成されている。縦溝５ｃには、断面略Ｕ字形状の連動バー５１が対向して縦溝５ｃ内を摺動可能に配置されている。連動バー５１の下部には、枠体７の屋外側の下部から屋外に向かって突出する外部ハンドル２が固定されている。
【００２８】
外部ハンドル２は、図１及び図２に示すように平面視略Ｌ字形状の平板状の部材であり、操作本体２ａと、連動バー５１にビスＢで固定される接続部材２ｂと、２本の調整ピン２１，２１とを備える。
図３は、枠体７の外部ハンドル２部分の水平断面図である。図４は、ロック機構及びロック解除機構を示す模式図であり、図４（ａ）は、枠体を見込み面側から見た模式図であり、図４（ｂ）は障子を見込み面側から見た模式図である。図３及び図４に示すように、縦溝５ｃの屋外側に隣接して、金属縦枠５ａにアジャスタ５５が設けられている。アジャスタ５５には、平面視Ｅ字形状の調整溝５５ａが形成されている。外部ハンドル２の操作本体２ａにおけるアジャスタ５５と対向する面には、上下方向に並ぶ２本の調整ピン２１，２１がアジャスタ５５側に突出して固定されている。各調整ピン２１，２１はスライド可能に調整溝５５ａ内に挿入されている。調整溝５５ａには、上下方向における２本の調整ピン２１，２１の間に、補助ピン５５ｂがスライド可能に挿入されている。２本の調整ピン２１，２１と補助ピン５５ｂとの間にはバネ５５ｃが設けられている。外部ハンドル２とアジャスタ５５とによる機構は後述する。
【００２９】
障子９は、枠体７内に開閉可能に納められている。障子９は、それぞれアルミニウム合金と樹脂からなる上框１０及び下框１１と左右の縦框１２，１３とが略四角形枠状に形成された框体１４を有している。框体１４の内部にはパネルとして例えば二層ガラス等の複層ガラスからなるガラスパネル１５が納められている。障子９の吊元は枠体７の見付け方向の一端部である縦枠６近傍に設けられ、その軸線は上下方向に延びて上枠３と下枠４に支持されている。
【００３０】
枠体７に納められた障子９の框体１４はそれぞれ屋外側に設けたアルミニウム合金からなる金属上框１７及び金属下框１８と左右の金属縦框１９，１９とで四角形の枠状に形成されている。
【００３１】
戸先側（図２において左側）の金属縦框１９には、断面略Ｕ字形状のパネル嵌合溝１９ａが形成されている。パネル嵌合溝１９ａの屋内側（図２において下側）にはハンドル受け部１９ｂが形成されている。このハンドル受け部１９ｂの見込み面１９ｂａにはグレモン錠の内ハンドル３０が取り付けられている。ハンドル受け部１９ｂには見込み面１９ｂａを除いて屋内側見付け面を覆う樹脂縦框２７が係合されている。
【００３２】
図２に示す金属縦框１９において、屋内側に設けたハンドル受け部１９ｂの見込み面１９ｂａ側に上下方向に延びる略四角形筒状をなす中空ホロー部３２と中空枠部３３とが配列されている。
図２に示すように、中空枠部３３は金属縦框１９の断面略Ｕ字形状の枠部１９ｃに断面略Ｕ字形状のスライドバー３１が対向するように配置されている。スライドバー３１は、枠部１９ｃに対して摺動可能に設けられている。図５（ａ）に示すように、スライドバー３１の内ハンドル３０に対向する位置には断面略Ｕ字形状のスライダー３４が嵌合されて中空に構成されている。スライダー３４については後述する。
【００３３】
内ハンドル３０は支軸３７を中心に上下方向に回動可能である。図５（ａ）に示すように、ハンドル受け部１９ｂの見込み面１９ｂａには内ハンドル３０の回動を許容する開口部３８が形成されている。開口部３８は断面ラッパ状に形成されており、内ハンドル３０は開口部３８の範囲で回動可能である。
内ハンドル３０に形成された先端部３０ｃは、中空ホロー部３２から枠部１９ｃに形成した挿通穴部１９ｄを通って中空枠部３３内に突出している。
【００３４】
スライダー３４は枠部１９ｃ内をスライドバー３１と一体に摺動可能であり、その上下方向の中央部には、内ハンドル３０の先端部３０ｃを受け入れる凹部を形成した連動突部３４ａが突出形成されている。そのため、内ハンドル３０を回動させると先端部３０ｃで係合する連動突部３４ａを介してスライダー３４がスライドバー３１と一体に連動して上下動する。
また、中空枠部３３内には内ハンドル３０で解錠操作するグレモン錠の連動棒(図示せず)が挿通され、この連動棒にスライダー３４及び枠部１９ｃを封止する一対の気密ピースを連結して一体化してもよい。
【００３５】
金属縦框１９のスライダー３４の上方には、規制ピン（障子側ロック部材）４３が設置されている。規制ピン４３は、後述する小開口規制アーム（開口規制アーム）４２の開閉カム溝４５に摺動可能に嵌合して障子９の閉鎖位置と開放位置を規制する規制部材である。
【００３６】
小開口規制アーム４２は、障子９の開放角度を規制する開口部材であり、アーム本体４６と、取付片４７とを備える。図６に小開口規制アーム４２と枠体7とを示す模式図を示す。図６（ａ）は小開口規制アーム４２を枠体の見込方向から見た図であり、図６（ｂ）は小開口規制アーム４２を枠体７の見付け方向から見た図である。図４、図６（ａ）及び図６（ｂ）に示すように、縦溝５ｃには、縦溝５ｃの見込み面から上下方向に並んで突出する２つの凸部（枠側ロック部材）５ｄ，５ｄが設けられている。凸部５ｄ，５ｄは連動バー５１に上下方向に延びて形成された２つのスリット５１ａ，５１ａから突出して、後述する取付片４７の係止溝４７ｃ，４７ｃに係止されている。
【００３７】
取付片４７は、図６（ａ）及び図６（ｂ）に示すように、平面視略Ｌ字形状の係止溝４７ｃ，４７ｃが上下方向に２本並んで形成されている。２つの係止溝４７ｃ，４７ｃは、略同一形状で形成されており、上下方向に延びる上下溝部４７ｄ，４７ｄと、上下溝部４７ｄ，４７ｄの下端から屋外側（図６（ｂ）において左側）に水平方向に曲折して、取付片４７の端部に開口する水平溝部４７ｅ，４７ｅとからなる。取付片４７には、略平板状の部材の上下端部が水平方向に曲折して係止壁４７ａ，４７ｂが形成されている。
【００３８】
連動バー５１には、２つの突起（枠側ロック部材）５７，５７が上下方向に並んで設けられている。２つの突起５７，５７は、取付片４７を上下方向から挟むように取付片４７の係止壁４７ａ，４７ｂに当接している。
【００３９】
図４から図６に示すように、取付片４７には回転軸４４が設けられている。回転軸４４には、アーム本体４６が回動可能に支持されている。
回転軸４４とアーム本体４６とには小開口規制アーム４２を図５（ｂ）に実線で示す垂直位置に付勢するばね４１が取り付けられている。
アーム本体４６には規制ピン４３を嵌合させる開閉カム溝（係止部）４５が形成されている。開閉カム溝４５は例えば略Ｚ字型に形成されており、規制ピン４３が上側の拡幅溝４５ａ内に位置する場合には障子９は閉鎖位置にあり、下端の終端溝部４５ｂに位置する場合には障子９は所定の小開口位置にある。
拡幅溝４５ａの下部には、上方に向かうにつれて連動バー５１側に近付くように傾斜する傾斜部４５ｃが形成されている。
【００４０】
ロック機構は、小開口規制アーム４２を介して障子側ロック部材である規制ピン４３と枠側ロック部材である凸部５ｄ，５ｄ及び突起５７，５７とが係合されることで、枠体７と障子９とを係合している。図５（ｂ）に二点鎖線で示すように、障子９が小開口位置に開口した状態で規制ピン４３が終端溝部４５ｂにおける最奥部に位置すると障子９は小開口状態に保持される。小開口状態で小開口規制アーム４２は一点鎖線で示すように斜めに保持されるため、規制ピン４３が最奥部から開閉カム溝４５の終端溝部４５ｂ内を移動したりすることなく保持される。内ハンドル３０を動かしたり強風等が障子９に吹き付けたりしたとしてもずれたり回動したりすることはない。
【００４１】
障子８には内ハンドル３０の操作により障子９の施錠を行う障子側ロック機構と、解錠を行う障子側ロック解除機構とを備える。障子側ロック機構及び障子側ロック解除機構は、以下の構成を備える。図５（ａ）に示すように、戸先側におけるスライダー３４と規制ピン４３の間には、中空ホロー部３２の長手方向に直交する方向に進退可能な作動部材４８が中空ホロー部３２に設置されている。作動部材４８は規制ピン４３の近傍に位置する。この作動部材４８の側部には作動ピン４９が突出している。作動部材４８は枠部１９ｃとスライドバー３１に形成された開口を通して中空枠部３３の外側に突出可能である。
【００４２】
作動部材４８の側部には解除プレート５０が昇降可能に取り付けられ、この解除プレート５０に形成した斜め方向の摺動ガイド溝５０ａには作動ピン４９が摺動可能に嵌合している。しかも、解除プレート５０には弾性部材としてコイルばね５２が取り付けられていて解除プレート５０を上方位置に付勢している。
【００４３】
解除プレート５０には操作レバー５０ｂが形成され、操作レバー５０ｂはハンドル受け部１９ｂの見込み面１９ｂａに形成された不図示の開口溝内から突出して手動で上下動可能に構成されている。操作レバー５０ｂは摺動ガイド溝５０ａと作動ピン４９とによって、開口溝の上端位置で作動部材４８を後退位置に保持している。開口溝の下端位置で作動部材４８を小開口規制アーム４２の下部と干渉する位置に突出させる。
【００４４】
また、開口溝の上端位置にある操作レバー５０ｂは、上方位置に回動させた内ハンドル３０の近傍に位置している。そのため、操作者は片手で内ハンドル３０を把持しながら操作レバー５０ｂを上端位置から下端位置まで押し下げ可能である。操作レバー５０ｂが開口溝の下端位置にあると作動部材４８は前方に突出してその先端テーパ部４８ａが小開口位置でロックされた小開口規制アーム４２の下端部をわずかに押動する。これによって、規制ピン４３は開閉カム溝４５の終端溝部４５ｂの最奥部から離れてロック位置を外れる。この状態で障子９を閉鎖作動することができる。
これら作動部材４８、操作レバー５０ｂ、小開口規制アーム４２等は障子側ロック解除装置を構成する。
【００４５】
内ハンドル３０の降下位置で障子９が閉鎖位置にあり、図５（ａ）に示す内ハンドル３０の上方位置で障子９が開放可能位置にある。内ハンドル３０を降下位置から上昇位置に回動させると、内ハンドル３０の先端部３０ｃが下方に回動して先端部３０ｃに係合するスライダー３４がスライドバー３１と一体に下方に移動する。
【００４６】
内ハンドル３０が下方位置にある場合、スライドバー３１は上方位置(基準位置)にある。また、内ハンドル３０を図５（ａ）に示す上方位置に回動させると、スライドバー３１は下方位置に降下する。
【００４７】
図４（ｂ）及び図５（ａ）に示すように、規制ピン４３はハンドル受け部１９ｂの見込み面１９ｂａに露出している。規制ピン４３は開閉カム溝４５を外れた位置からコイルばね（不図示）の付勢力で前方に突出して開閉カム溝４５に挿入される。規制ピン４３を開閉カム溝４５に再度挿入させるには障子９を所定角度の小開口位置に戻すか、あるいは障子９を閉鎖位置に戻すことが好ましい。
【００４８】
本実施形態に係る縦辷り出し窓１は上述の構成を備えており、次にその作用を説明する。障子９を閉鎖させた施錠状態で内ハンドル３０は下方に位置しており、スライドバー３１は上方位置(基準位置)にある。この状態で小開口規制アーム４２は図５（ｂ）に実線で示す閉鎖位置に垂下している。
【００４９】
図７は、ロック解除機構による解錠時の態様を示す図である。
図７を用いて施錠状態時における外部ハンドル２の操作による小開口規制アーム４２の施錠か解除される態様について説明する。なお、２つの凸部５ｄ，５ｄは連動バー５１に覆われているが、図７では説明のため実線で示している。
【００５０】
図７（ａ）は施錠状態の外部ハンドル２と小開口規制アーム４２との関係を示す図である。縦辷り出し窓１が施錠状態のときに、外部ハンドル２で障子９を開口する場合、操作者は、外部ハンドル２の操作本体２ａを屋外方向（図７（ａ）に示す矢印Ａ１方向）に引く。すると、図７（ｂ）に示すように、操作本体２ａが接続部材２ｂに対して矢印Ａ１方向に相対移動し、２本の調整ピン２１，２１が調整溝５５ａ内を水平方向に移動する。このとき、補助ピン５５ｂは、操作本体２ａに形成された長穴２ｃ内を水平方向に相対移動して、２本の調整ピン２１，２１と補助ピン５５ｂとが調整溝５５ａ内で上下方向に一列に並ぶ。
【００５１】
次に、操作者は、外部ハンドル２の操作本体２ａを上方向（図７（ｃ）に矢印Ａ２で示す方向）に持ち上げる。すると、２本の調整ピン２１，２１及び補助ピン５５ｂが調整溝５５ａ内を上方向に移動する。操作本体２ａは、接続部材２ｂに対して水平方向に相対移動可能且つ上下方向に移動不能に連結されているので、接続部材２ｂが固定された連動バー５１が上方に移動する。連動バー５１の上方移動により、２つの突起５７，５７に挟まれた取付片４７が上方に移動する。取付片４７の上方移動に追従して、アーム本体４６が上方に移動する。このとき、規制ピン４３は、傾斜部４５ｃに当接する。規制ピン４３は、不図示のバネにより連動バー５１方向に付勢されているので、傾斜部４５ｃに当接した規制ピン４３は、該バネが圧縮されて、規制ピン４３が障子９側（図６（ａ）において右側）に移動し、図７（ｃ）に示すように、規制ピン４３と開閉カム溝４５の拡幅溝４５ａから外れて、小開口規制アーム４２と障子９との係合が解除される。また、凸部５ｄ，５ｄは縦溝５ｃに固定されて連動バー５１のスリット５１ａ，５１ａ内に配置されているので、連動バー５１の上方移動により取付片４７が上方に移動し、凸部５ｄ，５ｄが上下溝部４７ｄ，４７ｄの下端に当接する。
【００５２】
次に、操作者が、外部ハンドル２の操作本体２ａから手を離すと、２本の調整ピン２１，２１と補助ピン５５ｂとの間に設けられているバネ５５ｃの付勢力により、２本の調整ピン２１，２１が調整溝５５ａ内を屋内側に水平方向に移動し、略Ｅ字形状の調整溝５５ａの水平方向に延びる溝部の上側２つの溝に係止される。この状態で、外部ハンドル２を軽く引くと障子９が開口する。小開口規制アーム４２と障子９との係合が解除されているので、操作者が外部ハンドル２を屋外側に引く操作により、操作者が進入可能な程度に十分に障子９を開けることができる。なお、このとき、凸部５ｄ，５ｄが上下溝部４７ｄ，４７ｄの下端に当接しているが、障子９とアーム本体４６との係合が解除されているので、小開口規制アーム４２は、取付片４７が突起５７，５７で挟持された状態で、枠体７に保持される。
【００５３】
次に、小開口状態の障子９を外部ハンドル２で開ける操作について説明する。
まず、内ハンドル３０で障子９を小開口状態とする操作を説明する。施錠状態から、図５（ａ）に示すように、障子９を開放させるために内ハンドル３０を上方に回動させる。すると、内ハンドル３０の連動棒は上枠３及び下枠４から後退し、先端部３０ｃに押されてスライダー３４が下方に連動させられ、スライドバー３１と一体に下方位置に移動する。これによって、スライドバー３１は下方位置で固定保持され、内ハンドル３０も図５（ａ）に示す上方位置に固定保持される。
【００５４】
障子９を開放作動させると、障子９に設けた規制ピン４３で開閉カム溝４５に沿って摺動しながら小開口規制アーム４２を押して回転軸４４周りに回動させて障子９を小開口位置まで開放作動させる。図８（ａ）に示すように、小開口位置で規制ピン４３は開閉カム溝４５の下方の終端溝部４５ｂでロックされる。この小開口位置で障子９は保持され、閉鎖方向に戻ることはできず、小開口状態が保たれる。
【００５５】
図８（ａ）に示す小開口状態から、外部ハンドル２で小開口状態を解除して障子９を大きく開放する場合、外部ハンドル２の操作手順は図７を用いて説明した施錠状態におけるロック解除操作と同様である。つまり、図７（ａ）〜（ｄ）の下部に示すように、外部ハンドル２を操作して連動バー５１を上方に上げてこの状態を保持する。規制ピン４３が終端溝部４５ｂでロックされた状態で、外部ハンドル２を操作して連動バー５１を上方に移動させると、図８（ｂ）に示すように、取付片４７が上方に移動し、凸部５ｄ，５ｄが上下溝部４７ｄ，４７ｄの下端に当接する。この状態で、外部ハンドル２をさらに屋外側に引くと、規制ピン４３が終端溝部４５ｂでロックされた状態が保持されながら小開口規制アーム４２が屋外側に牽引される。取付片４７の２つの係止溝４７ｃ，４７ｃは屋内側の端部に開口しているので、取付片４７は屋外方向（図７（ｃ）に矢印Ｂ１で示す方向）に移動して係止溝４７ｃ，４７ｃとの係合が解除される。この結果、小開口規制アーム４２は、枠体７との係合が解除され、規制ピン４３が終端溝部４５ｂに係止され、障子９に係止された状態が保持される。この結果、操作者が外部ハンドル２を屋外側に引く操作により、操作者が進入可能な程度に十分に障子９を開けることができる。
【００５６】
本実施形態による縦辷り出し窓１によれば、障子９と枠体７との係合を解除するロック解除機構及び外部ハンドル２が枠体７に設けられているため、ロック解除装置の機構を全て障子に設ける従来の建具に比べて、障子９を簡易な構造にすることができる。その結果、障子９の組立が容易となり、縦辷り出し窓１の施工性を向上させることができる。
【００５７】
本実施形態による縦辷り出し窓１によれば、ロック解除機構の作動部として連動バー５１及び外部ハンドル２を枠体７側に設けているため障子９を簡易な構造にすることができる。また、ロック機構による規制ピン４３の係合状態が、外部ハンドル２の操作に連動する連動バー５１の枠体７に沿った移動により解除可能であり、外部ハンドル２の操作により連動バー５１を動かす簡易な操作によりロック解除機構を構成できる。また、連動バー５１が枠体７内の有するスペースに設けられるので、枠体７側にロック解除機構を備えても、枠体７の寸法を大きくする必要がない。
【００５８】
本実施形態による縦辷り出し窓１によれば、外部ハンドル２の操作によって小開口規制アーム４２と規制ピン４３または突起５７，５７及び凸部５ｄ，５ｄとの係合が解除できる。したがって、障子９が閉じた状態で施錠されていても、外部ハンドル２の操作により開錠可能である。
【００５９】
本実施形態による縦辷り出し窓１によれば、障子９の開口長を規制する小開口規制アーム４２を介して障子９と枠体７とが連結され、外部ハンドル２の操作によって小開口規制アーム４２と規制ピン４３または突起５７，５７及び凸部５ｄ，５ｄとの係合が解除可能に構成されている。また、連動バー５１の操作により小開口規制アーム４２と規制ピン４３または突起５７，５７及び凸部５ｄ，５ｄとの係合が解除できる。この結果、障子９が閉じた状態で施錠されていても、外部ハンドル２の操作により開錠可能である。また、小開口規制アーム４２を手動で外す必要が無いので、障子９が閉じた状態から、小開口規制アーム４２との係合が解除されて開口長の規制を解除する操作までを外部ハンドル２の操作のみで行うことができる。
この結果、外部ハンドル２で障子９を開ける前に、小開口規制アーム４２と障子９との係合が解除できるので、障子９を開口させた後に、再度小開口規制アーム４２の係合を解除する操作が不要となり、外部ハンドル２で簡易且つ円滑に障子９を開口することができる。したがって、非常時に外部から障子９を開口する際の操作性に優れる。
【００６０】
本実施形態による縦辷り出し窓１によれば、連動バー５１の移動に伴って、規制ピン４３が傾斜部４５ｃにガイドされて規制ピン４３と開閉カム溝４５との係止が解除されるので、外部ハンドル２の簡単な操作で円滑に小開口規制アーム４２と規制ピン４３との係合が解除できる。
【００６１】
本実施形態による縦辷り出し窓１によれば、障子９の開口長を規制する小開口規制アーム４２を備え、小開口規制アーム４２で枠体７に対する障子９の開口長が規制されて障子９が開けられている場合に、外部ハンドル２を操作することによって、小開口規制アーム４２と枠体７との係合が解除でき、簡単な操作により障子９を開口することができる。また、小開口規制アーム４２と障子９との係合が簡単な操作により容易に解除できる。
【００６２】
本実施形態による縦辷り出し窓１によれば、外部ハンドル２を用いて、施錠状態の障子９を開ける操作と、小開口状態の障子９の規制を解除して障子９を大きく開口する操作とが同様の操作により行うことができる。したがって、外部ハンドル２で簡易且つ円滑に障子を開口することができ、非常時に外部から障子９を開口する際の操作性に優れる。
【００６３】
本実施形態による縦辷り出し窓１によれば、小開口規制アーム４２がアーム本体４６と取付片４７とを備え、障子９の開閉状態に応じて、取付片４７と凸部５ｄ，５ｄとの係合あるいはアーム本体４６と規制ピン４３との係合が解除可能に構成されているので、外部ハンドル２で簡易且つ円滑に障子９を開口することができる。
【００６４】
例えば、上述した各実施形態では縦辷り出し窓１について説明したが、本発明はこのような構成に限定されるものではなく、横辷り出し窓等の各種の建具のロック解除装置に本発明を適用してもよい。なお、本発明による縦辷り出し窓１等の建具はビル用に限らず一般住宅用の建具等にも採用できる。
【００６５】
以上、本発明の実施形態について図面を参照して詳述したが、具体的な構成はこの実施形態に限られるものではなく、本発明の要旨を逸脱しない範囲の設計変更等も含まれる。
【符号の説明】
【００６６】
１  縦辷り出し窓（建具）
２  外部ハンドル
５ｄ  凸部（枠側ロック部材）
７  枠体
９  障子
４２  小開口規制アーム（開口規制アーム）
４３  規制ピン（障子側ロック部材）
４５  開閉カム溝（長孔）
４７  取付片
４６  アーム本体
５１  連動バー（ロック解除機構）
５７，５７  突起（枠側ロック部材）
【図１】
2017180044.tif 000003
【図２】
2017180044.tif 000004
【図３】
2017180044.tif 000005
【図４】
2017180044.tif 000006
【図５】
2017180044.tif 000007
【図６】
2017180044.tif 000008
【図７】
2017180044.tif 000009
【図８】
2017180044.tif 000010